(57)【要約】【課題】簡易な構造の笠木により防水できるバルコニの手摺を提供する。【解決手段】外壁材５１及び面材５２の上端部と面材５２の垂直面には防水シート５４が貼り付けられており、外壁材５１と面材５２の上方の隙間を覆っているので、防水シート５４を用いて防水処理をするので、処理作業を容易にすることができ、かつ、高い防水効果を得ることができる。また、換気部材８は上端面に貼り付けられた防水シート５４と閉塞板５３Ａとを貫通して筒状部材８Ｂが換気通路Ａ内に露出して設けられ、直方体状部材８Ａが外壁材５１上の防水シートの上に載置されるように配置されているので、換気部材８は防水シート５４に設けることができ、換気部材８についても取り付け作業を容易に行うことができる。【選択図】図２
2010101055.tif 000002
【特許請求の範囲】
【請求項１】
外壁材と面材とが間に換気通路を形成するように離隔配置され、これらの外壁材と面材との上端部に防水シートが貼り付けられ、前記防水シートの所定箇所に換気部材を設け、前記換気部材を覆うように笠木を設けたことを特徴とするバルコニの手摺。
【請求項２】
請求項１に記載のバルコニの手摺において、前記換気部材は筒状体を備え、前記筒状体は前記防水シートの上面から立ち上がって形成されることを特徴とするバルコニの手摺。
【請求項３】
請求項２に記載のバルコニの手摺であって、前記筒状体の上面と下面とにそれぞれ開口が形成され、これらの開口位置は上下方向においてずれた位置に設けられていることを特徴とするバルコニの手摺。
【請求項４】
請求項２または請求項３に記載のバルコニの手摺であって、前記筒状体の内部に水返し部が設けられていることを特徴とするバルコニの手摺。
【請求項５】
請求項２から請求項４のいずれかに記載のバルコニの手摺であって、前記筒状体には、上面の開口を覆う網状部材が配置されることを特徴とするバルコニの手摺。
【請求項６】
請求項１から請求項５のいずれかに記載のバルコニの手摺であって、前記外壁材の上端部と前記笠木とが間に隙間を形成するように離隔配置され、前記隙間を覆うようにメッシュパイプを設けたことを特徴とするバルコニの手摺。
【発明の詳細な説明】
【技術分野】
【０００１】
本発明は、バルコニの手摺に関する。
【背景技術】
【０００２】
下屋の上に設けられたバルコニでは、下屋の換気をバルコニの外壁材と面材との間の換気路を通じて行われている。
従来では、外壁材と面材との上端部に笠木を所定の隙間をあけて設け、この笠木に雨水吹き込み防止板を設けて防水を図るものである（例えば、特許文献１参照）。
【０００３】
【特許文献１】特開２００２−２６６４８５号公報
【発明の開示】
【発明が解決しようとする課題】
【０００４】
しかし、従来例では、吹き込み防止板を長手方向に沿って精度良く製造しないと、雨水の吹き込み防止が不十分となる。そのため、従来例では笠木の構造が複雑化され、笠木の施工が煩雑となるという問題がある。
【０００５】
本発明の目的は、簡易な構造の笠木により防水できるバルコニの手摺を提供することである。
【課題を解決するための手段】
【０００６】
本発明のバルコニの手摺６は、外壁材５１と面材５２とが間に換気通路Ａを形成するように離隔配置され、これらの外壁材５１と面材５２との上端部に防水シート５４が貼り付けられ、前記防水シート５４の所定箇所に換気部材８を設け、前記換気部材８を覆うように笠木６１を設けたことを特徴とするバルコニの手摺６である。
【０００７】
この発明によれば、防水シート５４を用いて防水処理をするので、外壁材５１と面材５２との上端部に防水シート５４を被覆するだけで済むので処理作業を容易にすることができる。また、防水シート５４によって被覆されるので高い防水効果を得ることができる。さらに、換気部材８は防水シート５４に設けられるため、換気部材８についても取り付け作業を容易に行うことができる。
【０００８】
本発明のバルコニの手摺６は、前記換気部材８は筒状体８Ｂを備え、前記筒状体８Ｂは前記防水シート５４の上面から立ち上がって形成される構成が好ましい。
この発明によれば、換気部材８は、立ち上がり部８６を有しているので、防水シート５４の上面に付着した水が換気部材８へと浸入するのを防ぐことができる。
【０００９】
本発明のバルコニの手摺６は、前記筒状体８Ｂの上面と下面とにそれぞれ開口８２，８３が形成され、これらの開口位置は上下方向においてずれた位置に設けられている構成が好ましい。
この発明によれば、筒状体８Ｂの下面の開口８３が上面の開口８２とずれた位置に設けられているので、換気部材８の上面の開口８２から水が浸入した場合、そのまま下面の開口８３へ水が通過して換気部材８から換気通路Ａへと水が流出するのを防ぐことができる。
このため、換気部材８に万一水が浸入したとしても即座に開口８３へと流出させずに換気部材８内に貯留することができる。さらに、換気部材８に貯留された水は換気部材８内で蒸発し、その水蒸気が開口８２を介してバルコニの手摺６の外へと排出されることも期待できる。
【００１０】
本発明のバルコニの手摺６は、前記筒状体８Ｂの内部に水返し部８５が設けられている構成が好ましい。
この発明によれば、上面の開口８２から浸入した水が、上面の開口８２とずれた位置に設けられた下面の開口８３へと水が下面に沿って移動することを防ぐことができる。
このため、浸入した水が下面の開口８３を通過して換気部材８から換気通路Ａへと水が流出するのをより一層防ぐことができる。
さらに、水返し部８５が開口８３への流出を防ぐので、換気部材８に浸入した水をより確実に貯留することができ、より多くの水を蒸気として開口８２を介してバルコニの手摺６の外へと排出させることができる。
【００１１】
本発明のバルコニの手摺６は、前記筒状体８Ｂには、上面の開口８２を覆う網状部材８２１が配置される構成が好ましい。
この発明によれば、上面の開口８２を網状部材８２１で覆うので、換気部材８の内部に異物が混入することを防ぐことができる。
例えば、網状部材８２１は、虫などが上面の開口８２を通過し換気部材８に侵入することを防ぐ防虫ネットの役割を果たすことができる。
【００１２】
本発明のバルコニの手摺６は、前記外壁材５１の上端部と前記笠木６１とが間に隙間Ｓを形成するように離隔配置され、前記隙間Ｓを覆うようにメッシュパイプ９３を設けた構成が好ましい。
この発明によれば、笠木６１と外壁材５１の上端部との隙間Ｓにメッシュパイプ９３が設けられているので、笠木６１の内側にホコリや虫などの異物が侵入するのを防ぐことができる。
【発明を実施するための最良の形態】
【００１３】
以下、本発明の一実施形態を図面に基づいて説明する。
図１〜図４には本実施形態のバルコニの手摺が示されている。
図１は、本実施形態の建物の正面図が示されている。
図１に示すように、本実施形態の建物１は、基礎２の上に配置される下階部３と、下階部３の上の一部に設けられる上階部４と、この上階部４の上に設けられる屋根部７とを備えた２階建ての建物１である。
【００１４】
そして、下階部３には上階部４が設けられない下屋３Ａがあり、この下屋３Ａの上部は、バルコニとして利用されている。下屋３Ａの外周縁に沿ってコ字状の壁５が設けられ、この壁５の上端部に沿って手摺６が設けられている。
また、壁５の内部には換気通路Ａが上下に形成され、この換気通路Ａは下端が下屋３Ａの内部空間に連通され、上端が手摺６を介して外部に解放されている。
手摺６は、壁５の上端部を覆うように設けられた笠木６１と、この笠木６１から立設する複数の柱材６２と、これらの柱材６２の上端を連結するコ字状の梁材６３とを備えている。
【００１５】
図２は、前記実施形態のバルコニの手摺の要部を示す断面図が示されている。
図２に示すように、壁５は、外壁材５１と、面材５２とを備えている。この外壁材５１と面材５２とは離し置きされ、その間には略中空箱状の箱材５３が設けられており、この箱材５３の上部には閉塞板５３Ａが設けられている。そして、箱材５３及び閉塞板５３Ａに囲まれる箇所が換気通路Ａとして設けられている。
【００１６】
そして、外壁材５１及び面材５２の上端部と面材５２の垂直面には防水シート５４が貼り付けられており、外壁材５１と面材５２の上方の隙間を覆っている。
また、換気部材８は壁５の上端面に貼り付けられた防水シート５４と箱材５３の上部の閉塞板５３Ａとを貫通して筒状部材８Ｂが換気通路Ａ内に露出して設けられ、直方体状部材８Ａが外壁材５１上の防水シート５４の上に載置されるように配置されている。
【００１７】
また、略矩形状の部材である第一支持部材９１は面材５２の上方内側に取り付けられており、第二支持部材９２は片側に突起部９２Ａを有する略矩形状の部材であって、第一支持部材９１の上側から当接し接合され、突起部９２Ａが外壁材５１の上端部に取り付けられている。
【００１８】
そして、笠木６１は、幅寸法が壁５の厚み寸法より大きいコ字状の部材であり、水平面材６１Ａの内側が第二支持部材９２の上側から当接し接合されることで、壁５の上端部、換気部材８などを覆っている。
この笠木６１の垂直面材６１Ｂと外壁材５１の上端部とは、離し置きされ、隙間としてのスリットＳが形成されており、このスリットＳにメッシュパイプ９３が設けられることで、笠木６１の内側にホコリや虫などの異物の侵入を防いでいる。さらに、笠木６１の平面材外側には複数の柱材６２が略垂直に立設されている。
【００１９】
図３は、前記実施形態の換気部材を示す斜視図が示されている。図４は、前記実施形態の換気部材を示す断面図が示されている。
図３、図４に示すように、換気部材８は直方体状部材８Ａと筒状部材８Ｂとを組み合わせたＬ字断面を有する箱状部材であり、上面８１に設けられた開口としての第一開口部８２と、この第一開口部８２を覆うように設けられた網状部材としてのメッシュ材８２１と、第一開口部８２と上下方向においてずれた位置に組み合わされた筒状部材８Ｂの下端に設けられた開口としての第二開口部８３と、第一開口部８２と対向する外壁材の上端と係合する係合面材８４と、この係合面材８４と筒状部材８Ｂの交わる交点８Ｃから垂直に突出した水返し部としての突出部８５と、換気部材８の長方形及びＬ字形の４つの側面を有する立ち上がり部としての垂直面材８６とを備えている。
【００２０】
また、係合面材８４は第一開口部８２の面積と同等かそれ以上の大きさとなっており、上下方向において第一開口部８２全体を受けるように下側に位置している。そして、係合面材８４と、突出部８５と、垂直面材８６とに囲まれた空間Ｒは、第一開口部８２から水が浸入した際、浸入した水を貯留するスペースとなっている。
【００２１】
以上のような本実施形態によれば、次のような効果が得られる。
（１）外壁材５１及び面材５２の上端部と面材５２の垂直面には防水シート５４が貼り付けられており、外壁材５１と面材５２の上端部の隙間を覆っているので、防水シート５４を貼り付けるだけで防水処理をすることができるので防水処理の作業を容易にすることができる。また、防水シートを貼り付けて防水処理を行うので高い防水効果を得ることができる。
さらに、換気部材８は上端面に貼り付けられた防水シート５４と閉塞板５３Ａとを貫通して筒状部材８Ｂが換気通路Ａ内に露出して設けられ、直方体状部材８Ａが外壁材５１上の防水シートの上に載置されるように配置されているので、換気部材８は防水シート５４に設けることができ、換気部材８についても防水シート５４と同様に取り付け作業を容易に行うことができる。
【００２２】
（２）換気部材８は直方体状部材８Ａと筒状部材８Ｂとを組み合わせたＬ字断面を有する箱状部材であり、長方形及びＬ字形の４つの側面を有する立ち上がり部としての垂直面材８６とを備えているので、防水シート５４より第一開口部８２の方が高い位置にある。
このため、防水シート５４の上面に付着した水が換気部材８へと浸入するのを防ぐことができる。
【００２３】
（３）第一開口部８２と対向する外壁材５１の上端と係合する係合面材８４は、第一開口部８２の面積と同等かそれ以上の大きさとなっており、上下方向において第一開口部８２全体の下側に位置しているので、筒状部材８Ｂの下面の第二開口部８３が上面８１の第一開口部８２とずれた位置に設けられているので、筒状部材８Ｂの上面８１の第一開口部８２から水が浸入した場合、そのまま下面の第二開口部８３へ水が通過して換気部材８から換気通路Ａへと水が流出するのを防ぐことができる。
このため、換気部材８に万一水が浸入したとしても即座に第二開口部８３へと流出させずに換気部材８内に貯留することができる。
さらに、換気部材８に貯留された水は換気部材８内で蒸発し、その水蒸気が第一開口部８２を介してバルコニの手摺６の外へと排出されることも期待できる。
【００２４】
（４）係合面材８４と、突出部８５と、垂直面材８６とに囲まれた空間Ｒは、第一開口部８２から水が浸入した際、浸入した水を貯留するスペースとなっているので、上面８１の第一開口部８２から浸入した水が、上面８１の第一開口部８２とずれた位置に設けられた下面の第二開口部８３へと移動することを防ぐことができる。
このため、浸入した水は突出部８５によって堰きとめられるので、下面の第二開口部８３を通過して換気部材８から換気通路Ａへと水が流出するのをより一層防ぐことができる。
さらに、突出部８５は、係合面材８４と、垂直面材８６とに囲まれた空間Ｒを形成するので、換気部材８に浸入した水をより確実に貯留することができ、より多くの水を蒸気として第一開口部８２を介してバルコニの手摺６の外へと排出させることができる。
【００２５】
（５）換気部材８は、第一開口部８２と、この第一開口部８２を覆うように設けられた網状部材としてのメッシュ材８２１とを備えているので、上面８１の第一開口部８２をメッシュ材８２１で覆うので、換気部材８の内部に異物が混入することを防ぐことができる。例えば、メッシュ材８２１は、虫などが上面８１の第一開口部８２を通過し換気部材８に侵入することを防ぐ防虫ネットの役割を果たすことができる。
【００２６】
（６）笠木６１の垂直面材６１Ｂと外壁材５１の上端部とのスリットＳにメッシュパイプ９３が設けられているので、笠木６１の内側にホコリや虫などの異物が侵入するのを防ぐことができる。
【００２７】
なお、本発明は前述の各実施形態に限定されるものではなく、本発明の目的を達成できる範囲での変形、改良等は本発明に含まれるものである。
本実施形態では、換気部材８は、Ｌ字状の断面を有するように直方体状部材８Ａと筒状部材８Ｂとを組み合わせたがこれに限らない。例えば直方体状部材８Ａの中央部に筒状部材８Ｂを組み合わせて丁字状の断面を有する換気部材８としてもよい。
また、筒状部材８Ｂがなく、換気部材８の内部に突出部８５を備えた直方体状の換気部材８であってもよい。
【産業上の利用可能性】
【００２８】
本発明は、個人住宅用に利用できる他、アパートやビル等の共同住宅にも利用することができる。
【図面の簡単な説明】
【００２９】
【図１】本実施形態の建物の正面図。
【図２】前記実施形態のバルコニの手摺の要部を示す断面図。
【図３】前記実施形態の換気部材を示す斜視図。
【図４】前記実施形態の換気部材を示す断面図。
【符号の説明】
【００３０】
６…バルコニの手摺
８…換気部材
８Ｂ…筒状部材（筒状体）
５１…外壁材
５２…面材
５４…防水シート
６１…笠木
８２…第一開口部（開口）
８３…第二開口部（開口）
８５…突出部（水返し）
８６…垂直面材（立ち上がり部）
８２１…メッシュ材（網状部材）
Ａ…換気通路
【図１】
2010101055.tif 000003
【図２】
2010101055.tif 000004
【図３】
2010101055.tif 000005
【図４】
2010101055.tif 000006